(57)【特許請求の範囲】
【請求項１】
化粧品を塗布するために使用されるタップ式アプリケータであって、
ケースと、該ケースの底部に設けられた絶縁スプールと、該絶縁スプールに券回されたコイルとからなる、固定部；
前記絶縁スプールの中空部に沿って上下に動くように挿入された磁石と、該磁石の頂部で該磁石に一体化された振動板と、該振動板の振動によって振動するパフとからなる振動部；および
コイルに交流電流電源を供給する電力供給部
を含み、
前記パフはＮＢＲパフであるか、またはフロック加工パフである、前記タップ式アプリケータ。
【請求項２】
電力供給部が、バッテリと、該バッテリからの直流電流を交流電流に変換する振動発生モジュールと、該振動発生モジュールを制御する制御部とからなる、請求項１に記載のタップ式アプリケータ。
【請求項３】
電力供給部が、１００Ｖ〜２００Ｖの家庭用電源と、該家庭用電源からの電圧を降下させる変圧モジュールとからなる、請求項１に記載のタップ式アプリケータ。
【請求項４】
ＮＢＲパフの圧縮率が２０％〜４０％である、請求項１に記載のタップ式アプリケータ。
【請求項５】
フロック加工パフの繊維長が０．６ｍｍ〜１．４ｍｍである、請求項１に記載のタップ式アプリケータ。
【発明の詳細な説明】
【技術分野】
【０００１】
本発明は、化粧品を塗布するために使用されるタップ式アプリケータに関する。より具体的には、本発明は、交流電流を使用して永久磁石を垂直に動かすことによって、パフを上下に振動させる、タップ式アプリケータに関する。
【背景技術】
【０００２】
パフは、一般的に、ユーザの顔に塗布するファウンデーション、スキンカバー、またはパウダなどのカラー化粧品を均一かつ平滑に伸ばす手段として使用される。パフを使用するときに、ユーザは、最初に、パフの片側に形成された指挿入バンド中に自分の指を差し込み、パフの他方側を、ユーザの顔にあててタッピングする。
しかしながら、上記のように差し込んだ指を介して作為的な力でユーザの顔をタッピングすることは煩わしいことであるとともに、メーキャップに慣れていないユーザは、一定のタッピング力が得られず、このためにメーキャップがケーキ状（cakey）になることがある。
【０００３】
一方で、パフを自動的にタッピングするドライブ・パフ（drive-puff）技術が開発されている。しかしながら、このような技術では、パフは、上下に振動するのではなく、不規則な方向に振動させられるので、化粧品がユーザの顔に十分に浸透しないという問題がある。さらに、振動数が、ドライブ・パフの位置に応じて変化するので、化粧品がユーザの顔に部分的に浸透するだけであり、全体的な顔の明るさが不均一になるという問題がある。
【発明の概要】
【０００４】
発明の目的
本発明は、前記の問題を解決するためになされた。
本発明によれば、パフが、水平ではなく上下に振動する、タップ式アプリケータが提供される。
さらに、本発明によれば、パフの振動数が、所望の値に事前設定されており、この事前設定された値が一様に維持されて、その結果、メーキャップ後の全体的な顔の明るさが一様となる。
【０００５】
目的を達成する手段
本発明によれば、タップ式アプリケータであって、ケースと、ケースの底部に設けられた絶縁スプールと、絶縁スプールに券回されたコイルとからなる、固定部；絶縁スプールの中空部に沿って上下に動くように挿入された磁石と、磁石の頂部で磁石に一体化された振動板と、振動板の振動によって振動するパフとからなる振動部；コイルに交流電流電源を供給する電力供給部；および振動発生モジュールを制御する制御部を含むことを特徴とする、タップ式アプリケータが提供される。
【０００６】
本明細書においては、電力供給部は、バッテリと、バッテリからの直流電流を交流電流に変換する振動発生モジュールとで構成してもよい。
さらに、電力供給部は、１００Ｖから２００Ｖの家庭用電源と、家庭用電源から電圧を降下させる変圧モジュールとで構成してもよい。
パフは、ＮＢＲパフまたはフロック加工パフ（flocking puff）としてもよい。より好ましくは、ＮＢＲパフの圧縮率は２０％〜４０％であり、フロック加工パフの繊維長は０．６ｍｍ〜１．４ｍｍである。
【０００７】
発明の効果
本発明によるタップ式アプリケータは、交流電流による電気エネルギーを、電気モータの原理を用いて運動エネルギーに変換し、この運動エネルギーが、磁石と、磁石に接続されたパフを上下に（縦方向に）振動させる。すなわち、本発明のタップ式アプリケータは、パフが上下に振動することによって、化粧品がユーザの顔に十分に浸透するという効果がある。
【０００８】
さらに、本発明によるタップ式アプリケータは、任意選択で、振動発生モジュールを使用して周波数を調節することができる。周波数は、所望の値に事前設定することが可能であり、この事前設定された周波数に沿ってパフを一様に振動させることができる。すなわち、本発明のタップ式アプリケータは、化粧品を均一にユーザの顔にひろげて、顔の全体的な明るさを一様にする効果がある。
【０００９】
さらに、本発明によるタップ式アプリケータは、化粧品を効果的にタッピングして、それによって化粧品と皮膚の間の付着性を向上させるとともに、長時間のメーキャップを維持する。さらに、本発明によるタップ式アプリケータは、ユーザの顔に対して化粧品をタッピングするので、マッサージ効果によって血流が改善され、それによってより明るくカラフルなメーキャップを可能にする。
【図面の簡単な説明】
【００１０】
【図１】図１は、本発明の実施例１によるタップ式アプリケータの外部斜視図である。
【図２】図２は、本発明の実施例１によるタップ式アプリケータの分解斜視図である。
【図３】図３は、磁石を降下させた状態での、本発明の実施例１によるタップ式アプリケータの断面図である。
【図４】図４は、磁石を上昇させた状態での、本発明の実施例１によるタップ式アプリケータの断面図である。
【図５】図５は、本発明の実施例２によるタップ式アプリケータの分解斜視図である。
【図６】図６は、磁石を降下させた状態での、本発明の実施例２によるタップ式アプリケータの断面図である。
【図７】図７は、磁石を上昇させた状態での、本発明の実施例２によるタップ式アプリケータの断面図である。
【図８】図８は、本発明の実施例３によるタップ式アプリケータの分解斜視図である。
【図９】図９は、磁石を降下させた状態での、本発明の実施例３によるタップ式アプリケータの断面図である。
【図１０】図１０は、磁石を上昇させた状態での、本発明の実施例３によるタップ式アプリケータの断面図である。
【００１１】
本発明を実現するのに好ましい実施形態
以下に、本発明によるタップ式アプリケータを、実施例および添付の図面を参照して説明する。
実施例１
図１は、本発明の実施例１によるタップ式アプリケータの外部斜視図、図２は、本発明の実施例１によるタップ式アプリケータの分解斜視図、図３は、磁石を降下させた状態での、本発明の実施例１によるタップ式アプリケータの断面図、図４は、磁石を上昇させた状態での、本発明の実施例１によるタップ式アプリケータの断面図をそれぞれ示す。
【００１２】
本発明の実施例１によれば、タップ式アプリケータは、固定部と、固定部上に設けられて振動する振動部と、電源を供給する電力供給部と、電力供給部を制御する制御部とを含む。
固定部は、ケース１０と、ケース１０の底部上に設けられた絶縁スプール１８と、絶縁スプール１８に券回されたコイル１９とからなる。
ケース１０は、上部ケース１４と、上部ケース上に脱着可能に設けられた下部ケース１２とからなり、上部ケース１４と下部ケース１２とによって内部スペースが形成されている。
【００１３】
絶縁スプール１８は、下部ケース１２の底部上に設けられており、頂部および底部が解放された円筒形である。好ましくは、絶縁スプール１８は、支持台１５上に装着されており、この支持台１５は、絶縁スプールの底部に向かう所望の経路で磁石２０が降下するように、上方に突出している。さらに、絶縁スプール１８は、絶縁性および強度の点で、エンジニアリングプラスチックで形成するのが好ましい。
絶縁コイル１８に券回されたコイル１９は、交流電流電源を印加し、それによって、下記のように、磁石２０を上下に運動させる電場を形成する。
【００１４】
振動部は、上下に運動可能な絶縁スプール１８の内部に挿入された磁石２０と、磁石２０の頂部に一体化された振動板２２と、振動板２２の振動によって振動させられるパフ２４とからなる。
磁石２０は、棒形であって、正極および負極（または負極および正極）が棒の上部および下部にそれぞれ形成されており、それによって磁石は、コイル１９に流される電流の方向に応じて、上下方向に運動する。磁石２０の運動方向は、フレミングの左手の法則に従って、コイル１９に流れる電流の方向に応じて決まる。
振動板１１は、磁石の頂部上に設けられており、パフ２４によって覆うことのできる円板形である。すなわち、磁石が上下に振動すると、振動板１１が係合されて、上下に振動させられる。パフ２４は、振動板１１の振動によって振動するように装着されている。
【００１５】
パフ２４は、磁石２０の頂部上に形成された振動板１１を覆うようにパフ２４が装着されるように、振動板１１のリム上に形成された段差部分（step height portion）１６に挿入され、リング２６によって固定されている。すなわち、振動板１１はパフ２４によって覆われているので、パフ２４は、振動板１１の振動によって振動させられる。好ましくは、パフ２４は、ＮＢＲパフまたはフロック加工パフとしてもよい。ＮＢＲパフを使用するときには、パフ２４は、良好な皮膚への付着感があり、皮膚とよく混和する自然メーキャップを可能にする。フロック加工パフを使用するときには、パフ２４は、良好な使用感があり、明るくカラフルなメーキャップに好適である。好ましくは、ＮＢＲパフは、振動を効果的に伝達するために、圧縮率が２０％〜４０％であり、フロック加工パフは、良好な使用感と振動効果の両方を取得するために、繊維長が０．６ｍｍ〜１．４ｍｍである。パフ２４によって塗布することのできる化粧品としては、ルースパウダ（loose powder）、プレスパウダ、液体ファウンデーション、メーキャップベース、下塗り調合物（primer formulations）、ケーキ型ベースメーキャップおよびポイントメーキャップが挙げられる。
【００１６】
電力供給部は、交流電流電源をコイル１９に供給するために設けられている。電力供給部は、バッテリ３０と、バッテリ３０からの電源を交流電流に変換する振動発生モジュール３２とからなる。
バッテリ３０は、直流電流電源を供給するために設けられており、１次バッテリまたは２次バッテリを使用してもよい。
振動発生モジュール３２は、直流電流を交流電流に変換し、また、好ましくは周波数を変更することができる。
制御部４０は、振動発生モジュール３２を制御するために設けられており、振動発生モジュール３２の周波数を制御することによって磁石２０の振動数を変更することができる。
【００１７】
実施例２
図５は、本発明の実施例２によるタップ式アプリケータの分解斜視図、図６は、磁石を降下させた状態での、本発明の実施例２によるタップ式アプリケータの断面図、図７は、磁石を上昇させた状態での、本発明の実施例２によるタップ式アプリケータの断面図を示す。
本発明の実施例２によれば、タップ式アプリケータは、固定部と、固定部上に設けられて振動する振動部と、電源を供給する電力供給部とを含む。
【００１８】
固定部は、ケース１０と、ケース１０の底部上に設けられた絶縁スプール１８と、絶縁スプール１８に巻回されたコイル１９とからなる。
ケース１０は、上部ケース１４と、上部ケース上に脱着可能に設けられた下部ケース１２とからなり、上部ケース１４と下部ケース１２とによって内部スペースが形成されている。
絶縁スプール１８は、下部ケース１２の底部上に設けられており、頂部および底部が解放された円筒形である。好ましくは、絶縁スプール１８は、支持台１５上に装着されており、この支持台１５は、絶縁スプールの底部に向かう所望の経路で磁石２０が降下するように、上方に突出している。さらに、絶縁スプール１８は、絶縁性および強度の点で、エンジニアリングプラスチックで形成するのが好ましい。
【００１９】
絶縁コイル１８に券回されたコイル１９は、交流電流電源を印加し、それによって、下記のように、磁石２０を上下に運動させる電場を形成する。
振動部は、上下に運動可能な絶縁スプール１８の内部に挿入された磁石２０と、磁石２０の頂部に一体化された振動板２２と、振動板２２の振動によって振動させられるパフ２４とからなる。
磁石２０は、棒形であって、正極および負極（または負極および正極）が棒の上部および下部にそれぞれ形成されており、それによって磁石は、コイル１９に流される電流の方向に応じて、上下方向に運動する。磁石２０の運動方向は、フレミングの左手の法則に従って、コイル１９に流れる電流の方向に応じて決まる。
【００２０】
振動板１１は、磁石の頂部上に設けられており、パフ２４によって覆うことのできる円板形である。すなわち、磁石２０が上下に振動すると、振動板１１が係合されて、上下に振動させられる。パフ２４は、振動板１１の振動によって振動するように装着されており、好ましくは、パフ２４はＮＢＲパフまたはフロック加工パフとすることができる。パフ２４は、磁石２０の頂部上に形成された振動板１１を覆うようにパフ２４が装着されるように、振動板１１のリム上に形成された段差部分１６に挿入され、リング２６によって固定されている。
【００２１】
すなわち、振動板１１はパフ２４によって覆われているので、パフ２４は、振動板１１の振動によって振動させられる。ＮＢＲパフを使用するときには、パフ２４は、良好な皮膚への付着感があり、皮膚とよく混和する自然メーキャップを可能にする。フロック加工パフを使用するときには、パフ２４は、良好な使用感があり、明るくカラフルなメーキャップに好適である。好ましくは、ＮＢＲパフは、振動を効果的に伝達するために、圧縮率が２０％〜４０％であり、フロック加工パフは、良好な使用感と振動効果の両方を取得するために、繊維長が０．６ｍｍ〜１．４ｍｍである。パフ２４によって塗布することのできる化粧品としては、ルースパウダ、プレスパウダ、液体ファウンデーション、メーキャップベース、下塗り調合物、ケーキ型ベースメーキャップおよびポイントメーキャップが挙げられる。
【００２２】
電力供給部は、交流電流電源をコイル１９に供給するために設けられており、家庭用電源５０と、家庭用電源５０の電圧を降下させる変圧モジュール５２とからなる。
家庭用電源５０は、交流電流電源であって、１００Ｖ〜２００Ｖの電圧を供給する。家庭用電源５０は、好ましくは、電源を容易に印加できるように、単相電源である。
変圧モジュール５２は、家庭用電源５０から印加される電圧を、好ましくは、微妙な操作に必要な１５Ｖ未満の低電圧まで降下させる。
【００２３】
実施例３
図８は、本発明の実施例３によるタップ式アプリケータの分解斜視図、図９は、磁石を降下させた状態での、本発明の実施例３によるタップ式アプリケータの断面図、図１０は、磁石を上昇させた状態での、本発明の実施例３によるタップ式アプリケータの断面図を示す。
本発明の実施例３によれば、タップ式アプリケータは、固定部と、固定部上に設けられて振動する振動部と、電源を供給する電力供給部と、電力供給部を制御する制御部とを含む。
【００２４】
固定部は、ケース１０と、ケース１０の底部上に設けられた、絶縁スプール１８と、絶縁スプール１８に券回されたコイル１９とからなる。
ケース１０は、上部ケース１４と、上部ケース上に脱着可能に設けられた下部ケース１２とからなり、上部ケース１４と下部ケース１２とによって内部スペースが形成されている。さらに、パフ２４を固定するために、下部ケース１２の周辺部分にリング２６が設けられている。
絶縁スプール１８は、下部ケース１２の底部上に設けられており、頂部および底部が解放された円筒形である。好ましくは、絶縁スプールは、支持台１５上に装着されており、支持台１５は、絶縁スプール１８の底部に向かう所望の経路で磁石２０が降下するように、上方に突出している。さらに、絶縁スプール１８は、絶縁性および強度の点で、エンジニアリングプラスチックで形成するのが好ましい。
【００２５】
絶縁コイル１８に券回されたコイル１９は、交流電流電源を印加し、それによって、下記のように、磁石２０を上下させる電場を形成する。
振動部は、上下に運動可能な絶縁スプール１８の内部に挿入された磁石２０と、磁石２０の頂部に一体化された振動板２２と、振動板２２の振動によって振動させられるパフ２４とからなる。
【００２６】
磁石２０は、棒形であって、正極および負極（または負極および正極）が棒の上部および下部にそれぞれ形成されており、それによって磁石は、コイル１９に流される電流の方向に応じて、上下方向に運動する。磁石２０の運動方向は、フレミングの左手の法則に従って、コイル１９に流れる電流の方向に応じて決まる。
振動板１１は、磁石の頂部上に設けられており、パフ２４によって覆うことのできる円板形である。すなわち、磁石２０が上下に振動すると、振動板１１が係合されて、上下に振動させられる。
【００２７】
パフ２４は、振動板１１の振動によって振動するように装着されており、好ましくは、ＮＢＲパフまたはフロック加工パフとしてもよい。パフ２４は、磁石２４の頂部上に形成された振動板１１をパフ２４が覆うように、環状リング２６によって下部ケース１２に装着されている。すなわち、振動板１１がパフ２４によって覆われており、パフ２４が全体的に弾性材料で形成されているので、パフ２４は、振動版１１の振動によって振動させられる。好ましくは、パフ２４は、ＮＢＲパフまたはフロック加工パフとしてもよい。ＮＢＲパフを使用するときには、パフ２４は、良好な皮膚への付着感があり、皮膚とよく混和する自然メーキャップを可能にする。フロック加工パフを使用するときには、パフ２４は、良好な使用感があり、明るくカラフルなメーキャップに好適である。好ましくは、ＮＢＲパフは、振動を効果的に伝達するために、圧縮率が２０％〜４０％であり、フロック加工パフは、良好な使用感と振動効果の両方を取得するために、繊維長が０．６ｍｍ〜１．４ｍｍである。パフ２４によって塗布することのできる化粧品としては、ルースパウダ、プレスパウダ、液体ファウンデーション、メーキャップベース、下塗り調合物、ケーキ型ベースメーキャップおよびポイントメーキャップが挙げられる。
【００２８】
電力供給部は、交流電流電源をコイル１９に供給するために設けられている。電力供給部は、バッテリ３０と、バッテリ３０からの電源を交流電流に変換する振動発生モジュール３２とからなる。
バッテリ３０は、直流電流電源を供給するために設けられており、１次バッテリまたは２次バッテリを使用してもよい。
【００２９】
振動発生モジュール３２は、直流電流を交流電流に変換し、また、好ましくは周波数を変更することができる。
制御部４０は、振動発生モジュール３２を制御するために設けられており、振動発生モジュール３２の周波数を制御することによって磁石２０の振動数を変更することができる。
【図１】
0005619185.tif 000002
【図２】
0005619185.tif 000003
【図３】
0005619185.tif 000004
【図４】
0005619185.tif 000005
【図５】
0005619185.tif 000006
【図６】
0005619185.tif 000007
【図７】
0005619185.tif 000008
【図８】
0005619185.tif 000009
【図９】
0005619185.tif 000010
【図１０】
0005619185.tif 000011